(57)【要約】【解決手段】詰め物チューブの組み立てアッセンブリは、円筒状のバレル部となっている前端部を有する細長いバレルを備えている。後端（２２）を有する中空の細長い詰め物チューブ（２０）は、バレル部に取り外し可能に入れ子状に取り付けられている。詰め物チューブの後端及びバレル部の連結面（３６）（４０）は、互いを単一の径方向位置に保持し、バレルに対して、詰め物チューブの側面にある流入部（２６）を所定の固定位置に保持する。連結面は、詰め物チューブとバレル部とに形成された細長い溝となっている。【選択図】図１
2004503260.tif 000002
【特許請求の範囲】
【請求項１】
軸線と前端部及び後端部とを有する細長いバレルを備え、円筒状のバレル部は、前端部と、バレル部に取り外し可能に入れ子状に取り付けられた後端を有する中空で細長い詰め物チューブとを備え、詰め物チューブの後端及び円筒状のバレル部は連結面をなし、互いに連結すると、詰め物チューブの後端とバレル部との回転が防止され、互いに単一の径方向位置に保持され、かつ、詰め物チューブの流入ポートが、バレルに対して、単一の径方向位置に位置するようになっている、詰め物チューブの組み立てアッセンブリ。
【請求項２】
円筒状のバレル部に対して、詰め物チューブが長手方向に移動するのを防止するために、詰め物チューブを取り外し可能に保持する保持手段を設けてなる、請求項１に記載のアッセンブリ。
【請求項３】
保持手段は、詰め物チューブとバレルとを連結するカラーである、請求項２に記載のアッセンブリ。
【請求項４】
連結面は、詰め物チューブと円筒状のバレル部とに形成された細長い溝である、請求項１に記載のアッセンブリ。
【発明の詳細な説明】
【０００１】
【発明の属する技術分野】
本発明は、ソーセージ詰め機の詰め物チューブを取り外し可能に支持するとともに、所定の方向に位置させる組み立てアッセンブリに関する。
【０００２】
【従来の技術】
従来のソーセージ詰め機においては、細長い中空の詰め物チューブが不可欠となっている。詰め物チューブには、細長い中空のケーシング材料が支持され、ケーシングにミートエマルジョンを送り出す導管として機能する。
【０００３】
通常、詰め物チューブは、固く細長い円筒状の詰め物チューブの端に取り付けられる。詰め物チューブの後端は、詰め物チューブの端の突出した円筒部へ、スライドして挿入される。これら２つの部材は、詰め物チューブの留め具またはカラーにより、互いに固着される。
【０００４】
上述した構成の主な欠点は、詰め物チューブが、ミートエマルジョンポンプの吐出ポートと整列しなければならないミートエマルジョンポートを有している点である。詰め物チューブを詰め物チューブの端に注意深く位置させないと、ミートエマルジョンポンプの吐出ポートとミートエマルジョンポートとが整列しない。その場合、詰め物チューブを詰め物チューブの端とを分解し、整列させて再組み立てしなければならない。
【０００５】
【発明が解決しようとする課題】
従って、本発明の目的は、ミートエマルジョンポートが、ミートエマルジョンポンプの吐出ポートと整列するような位置で、詰め物チューブが詰め物チューブの端に固定されるようになっている、ソーセージ詰め装置の詰め物チューブのための組み立てアッセンブリを提供することにある。
【０００６】
以下の説明により、当業者には、その他の目的が明らかになると思う。
【０００７】
【課題を解決するための手段】
詰め物チューブの組み立てアッセンブリは、円筒状のバレル部となっている前端を有する細長いバレルを有している。後端を有する中空の細長い詰め物チューブは、バレル部に取り外し可能に入れ子状に取り付けられている。
【０００８】
詰め物チューブの後端の連結面及びバレル部の連結面は、互いを単一の径方向位置に保持し、詰め物チューブの側面にある流入ポートを、バレルに対して所定の固定位置に保持する。連結面は、詰め物チューブとバレル部との細長い溝となっている。
【０００９】
【発明の実施の形態】
図１には、分解された、また、図５には、組み立てられた組み立てアッセンブリ（１０）を示してある。組み立てアッセンブリ（１０）は、後端部である第１バレル部（１４）、前端部である第２バレル部（１６）及び中間バレル部（１８）からなる第１の部材であるバレル（１２）を備えている。
【００１０】
図８及び図１０から分かるように、第１バレル部（１４）の直径は、中間バレル部（１８）の直径よりも大きく、中間バレル部（１８）の直径は、第２バレル部（１８）の直径よりも大きい。
【００１１】
公知の詰め物チューブ（２０）は、後端（２２）及び前端（２４）を有している（図１）。公知の細長い流入ポートであるミートエマルジョンポート（２６）は、詰め物ホーン側に位置し、ミートエマルジョンポンプの吐出ポート（図示しない）からのミートエマルジョンが流入するようになっている。
【００１２】
カラー（２８）（図１及び図７）は、前端（３０）、後端（３２）及び貫通孔（３４）を有している。カラー（２８）は、バレル（１２）の第２バレル部（１６）と係合して、詰め物チューブを嵌脱可能となっていれば、いかなる形状でも良い。１９９９年４月２２日出願の米国特許願第０９／２９８，０２８号を参照されたい。これに記載されている形状や、他の形状のカラーを、本発明に適用することができる。
【００１３】
図８及び図１０からわかるように、第２バレル部（１６）の外周面全長にわたって、Ｖ形状の細長い溝（３６）が形成されている。溝（３６）は、第２バレル部（１６）の中心軸と平行な直線となっている。
【００１４】
図２、図３及び図４に示すように、詰め物チューブ（２０）の後端（２２）の外周面（４２）には、細長い溝（４０）が形成されている。溝（４０）は、第２バレル部（１６）の溝（３６）と同等またはそれより長くなっている。詰め物チューブ（２０）の内径は、第２バレル部（１６）の外径よりもやや大きくなっており、詰め物チューブ（２０）は、第２バレル部（１６）上を入れ子状に移動することができる。
【００１５】
溝（４０）の断面形状は、溝（３６）の断面形状と一致するようになっており、２つの溝（３６）（４０）を長手方向に整列させて組み立てると、詰め物チューブ（２０）は、第２バレル部（１６）に対して入れ子状となり、詰め物チューブ（２０）の溝（４０）は、第２バレル部（１６）の溝（３６）をスライドするようになる。
【００１６】
図５に示すように、カラー（２８）をスライドさせて、中間バレル部（１８）及び詰め物チューブ（２０）の後端（２２）に位置させることにより、組み立てアッセンブリ（１０）が組み立てられる。それにより、カラー（２８）は、バレル（１２）とともに従来通りに作用し、長手方向に移動する詰め物チューブ（２０）を保持する（例えば、上述した米国特許願０９／２９８，０２８号を参照されたい）。
【００１７】
詰め物チューブ（２０）の溝（４０）が、第２バレル部（１６）の溝（３６）と係合することにより、詰め物チューブ（２０）は、第２バレル部（１６）に対して回転できないようになる。
【００１８】
このように、溝（３６）（４０）により、組み立てアッセンブリ（１０）が所定の方向だけを向くので、詰め物チューブ（２０）がバレル（１２）上に組み立てられた時に、詰め物チューブ（２０）のミートエマルジョンポート（２６）が所定位置に位置するようになる。
【００１９】
ミートエマルジョンポート（２６）は、ミートエマルジョンポンプの吐出ポートと一致するように、所望の向きを向くように設定される。
【００２０】
このように、本発明は、溝（３６）（４０）が所定位置にある時に、詰め物チューブ（２０）をバレル（１２）に取り付けるだけでよく、それにより、ミートエマルジョンポート（２６）が特定の位置に確実に位置し、ミートエマルジョンポンプの吐出ポートと整列する。従って、本発明により、上述した目的を達成することができる。
【図面の簡単な説明】
【図１】
本発明による組み立てアッセンブリの分解図である。
【図２】
詰め物チューブの部分側面図である。
【図３】
詰め物チューブの後端部拡大斜視図である。
【図４】
詰め物チューブの部分平面図である。
【図５】
組み立てアッセンブリを組み立てた時の部分断面図である。
【図６】
図５の６−６線拡大断面図である。
【図７】
保持カラーの拡大斜視図である。
【図８】
バレルの拡大斜視図である。
【図９】
図８の９−９線拡大部分断面図である。
【図１０】
軸線を９０°の角度だけ回転させた、図８と同様のバレルの拡大斜視図である。
【符号の説明】
１０　　　組み立てアッセンブリ
１２　　　バレル
１４　　　第１バレル部（後端部）
１６　　　第２バレル部（前端部）
１８　　　中間バレル部
２０　　　詰め物チューブ
２２　　　後端
２４　　　前端
２６　　　ミートエマルジョンポート
２８　　　カラー
３０　　　前端
３２　　　後端
３４　　　貫通孔
３６、４０　溝
４２　　　外周面
【国際公開パンフレット】
2004503260.tif 000003
2004503260.tif 000004
2004503260.tif 000005
2004503260.tif 000006
2004503260.tif 000007
2004503260.tif 000008
2004503260.tif 000009
2004503260.tif 000010
2004503260.tif 000011
2004503260.tif 000012
2004503260.tif 000013
【手続補正書】
【提出日】平成14年6月25日(2002.6.25)
【手続補正１】
【補正対象書類名】明細書
【補正対象項目名】特許請求の範囲
【補正方法】変更
【補正の内容】
【特許請求の範囲】
【請求項１】
軸線と前端部（１６）及び後端部（１４）とを有する細長いバレル（１２）を備え、円筒状のバレル部は、前端部（１６）と、細長いバレル（１２）の前端部（１６）の円筒状のバレル部に取り外し可能に入れ子状に取り付けられた後端（２２）を有する中空で細長い詰め物チューブ（２０）とを備える詰め物チューブの組み立てアッセンブリであって、
詰め物チューブ（２０）の後端（２２）及び細長いバレル（１２）の前端部（１６）の円筒状のバレル部は、連結面（４０）（３６）をなし、互いに連結すると、詰め物チューブ（２０）の後端（２２）とバレル部との回転が防止され、互いに単一の径方向位置に保持され、かつ、詰め物チューブ（２０）の流入ポート（２６）が、バレル部に対して、単一の径方向位置に位置するようになっているアッセンブリ。
【請求項２】
円筒状のバレル部に対して、詰め物チューブ（２０）を長手方向に移動させた場合、詰め物チューブ（２０）を取り外し可能に保持する保持手段（２８）を設けた、請求項１に記載のアッセンブリ。
【請求項３】
保持手段（２８）は、詰め物チューブ（２０）とバレル部とを連結するカラーである、請求項２に記載のアッセンブリ。
【請求項４】
連結面は、詰め物チューブ（２０）と円筒状のバレル部とに形成された細長い溝（４０）（３６）である、請求項１に記載のアッセンブリ。
【国際調査報告】
2004503260.tif 000014
2004503260.tif 000015